(57)【要約】      （修正有）【課題】扉を開放可能で、より簡便に意図せぬ来訪者の侵入を防止可能な侵入防止装置を提供する。【解決手段】玄関扉ｄの屋内側に設置され、使用状態と待機状態とで状態を変化させることができる侵入防止装置１であって、侵入防止部１０と、侵入防止部１０を上下方向に回動可能に支持する基部１１とからなる。侵入防止部１０は、使用状態において、略水平方向に延伸して屋外からの侵入を妨げる第１の部材１０１と、一端を基部１１に、他端を第１の部材１０１に軸支された第２の部材１０２とを有する。【選択図】図１
2020197113.tif 000002
【特許請求の範囲】
【請求項１】
玄関扉の屋内側に設置される侵入防止装置であって、
略水平方向に延伸して屋外からの侵入を妨げる第１の部材を有する侵入防止部と、
前記侵入防止部を上下方向に回動可能に支持する基部と、を有する、侵入防止装置。
【請求項２】
請求項１に記載の侵入防止装置であって、
前記基部は、前記第１の部材が略水平方向に延伸した使用状態と、前記第１の部材が略鉛直方向に延伸した待機状態とに変化するよう前記侵入防止部を支持する、侵入防止装置。
【請求項３】
請求項２に記載の侵入防止装置であって、
前記侵入防止部は、前記使用状態において一端を前記基部に軸支され、他端を前記第１の部材に軸支された、斜め方向に延伸する第２の部材を有する、侵入防止装置。
【請求項４】
請求項３に記載の侵入防止装置であって、
前記侵入防止部は、前記第２の部材の端部以外の部分に一端が軸支される第３の部材を有し、前記第３の部材の他端は前記使用状態において前記玄関扉の角部近傍に係止される、侵入防止装置。
【請求項５】
請求項２に記載の侵入防止装置であって、
前記基部は、前記玄関扉の長手方向の一辺の近傍に設けられ、前記使用状態において前記第１の部材を略水平に軸支する、侵入防止装置。
【請求項６】
請求項５に記載の侵入防止装置であって、
前記基部は、前記第１の部材が略水平方向に延伸した状態を保持するロック機構を有し、
前記ロック機構は、屋内側に設けられた解除機構により保持を解除する、侵入防止装置。
【請求項７】
請求項１から６のいずれか一項に記載の侵入防止装置であって、
前記玄関扉の長手方向の一辺の近傍に設けられ、一端が軸支された前記第１の部材の他端を係止する係止部材を有する、侵入防止装置。
【請求項８】
請求項１から７のいずれか一項に記載の侵入防止装置であって、
前記第１の部材は、伸縮可能である、侵入防止装置。
【請求項９】
請求項１から８のいずれか一項に記載の侵入防止装置であって、
前記第１の部材は、連続して接続する複数の剛性部材を有し、
前記複数の剛性部材の接続部分は、待機状態では折れ曲がり、使用状態では伸び、
前記第１の部材は、前記使用状態において、一端が前記玄関扉の長手方向の一辺の近傍に、他端が前記一辺に対向する辺の近傍に突っ張ることにより、略水平に係止される、侵入防止装置。
【請求項１０】
請求項１から８のいずれか一項に記載の侵入防止装置であって、
使用状態において前記基部を前記第１の部材と略同じ高さに軸支する第４の部材を有し、
前記第４の部材は、連続して接続する複数の剛性部材を有し、前記複数の剛性部材の接続部分を伸ばして天井方向と床方向とに突っ張ることにより、略鉛直に設置される、侵入防止装置
【発明の詳細な説明】
【技術分野】
【０００１】
本発明は、侵入防止装置に関する。
【背景技術】
【０００２】
特許文献１には、玄関等の補助扉に関する技術が開示されている。同文献中、段落［００１２］には、「上記課題を解決するための本発明の補助扉は、外開き又は引き戸式の出入口主扉の内側に、その閉じた状態での扉面と略平行に設置される補助扉であって、該補助扉の扉面の一部又は全部が、通気性と防犯性を有する柵状、格子状、網状又は孔あき板状の構造であり、かつ該補助扉が、主扉の閉じた状態での扉面と略平行な方向に伸縮し、又はその扉面が折り畳まれて前記主扉扉面と略平行な方向に移動する開閉機構を備えていることを特徴とする。」と記載されている。
【先行技術文献】
【特許文献】
【０００３】
【特許文献１】特開２００５−１６２０５号公報
【発明の概要】
【発明が解決しようとする課題】
【０００４】
来訪者があった場合の防犯対策として、ドアチェーンをかけたままドアを開口して対応することがある。しかしながら、ドアチェーンを使用した状態では開口部分が狭く、十分な対応ができない場合がある。
【０００５】
特許文献１に記載された補助扉は大きくかつ複雑であって、家屋の構造によっては設置が困難であるばかりでなく、扉が設置される部分の周辺に壁や枠がない場合、補助扉を設置するために大規模な工事が必要となる。また、伸縮した補助扉が位置する屋内の玄関扉脇に広いスペースが必要となる。また、伸縮した補助扉の厚さを考慮すると、補助扉はより屋内寄りに設置しなければならず、特に補助扉を閉めた状態において、屋内のスペースが狭くなると共に、圧迫感を生じる。
【０００６】
本発明は、上記の点に鑑みてなされたものであって、より簡便に意図せぬ来訪者の侵入を防止することを目的とする。
【課題を解決するための手段】
【０００７】
そこで上記課題を解決するため、本発明の一態様に係る侵入防止装置は、玄関扉の屋内側に設置される侵入防止装置であって、略水平方向に延伸して屋外からの侵入を妨げる第１の部材を有する侵入防止部と、前記侵入防止部を上下方向に回動可能に支持する基部と、を有する。
【０００８】
前記基部は、前記第１の部材が略水平方向に延伸した使用状態と、前記第１の部材が略鉛直方向に延伸した待機状態とに変化するよう前記侵入防止部を支持してもよい。
【０００９】
前記侵入防止部は、前記使用状態において一端を前記基部に軸支され、他端を前記第１の部材に軸支された、斜め方向に延伸する第２の部材を有してもよい。
【００１０】
前記侵入防止部は、前記第２の部材の端部以外の部分に一端が軸支される第３の部材を有し、前記第３の部材の他端は前記使用状態において前記玄関扉の角部近傍に係止されてもよい。
【００１１】
前記基部は、前記玄関扉の長手方向の一辺の近傍に設けられ、前記使用状態において前記第１の部材を略水平に軸支してもよい。
【００１２】
前記基部は、前記第１の部材が略水平方向に延伸した状態を保持するロック機構を有し、
前記ロック機構は、屋内側に設けられた解除機構により保持を解除してもよい。
【００１３】
上記いずれかの侵入防止装置において、前記玄関扉の長手方向の一辺の近傍に設けられ、一端が軸支された前記第１の部材の他端を係止する係止部材を有してもよい。
【００１４】
前記第１の部材は、伸縮可能であってもよい。
【００１５】
前記第１の部材は、連続して接続する複数の剛性部材を有し、前記複数の剛性部材の接続部分は、待機状態では折れ曲がり、使用状態では延び、前記第１の部材は、前記使用状態において、一端が前記玄関扉の長手方向の一辺の近傍に、他端が前記一辺に対向する辺の近傍に突っ張ることにより、略水平に係止されてもよい。
【００１６】
前記侵入防止装置は、使用状態において前記基部を前記第１の部材と略同じ高さに軸支する第４の部材を有し、前記第４の部材は、連続して接続する複数の剛性部材を有し、前記複数の剛性部材の接続部分を伸ばして天井方向と床方向とに突っ張ることにより、略鉛直に設置されてもよい。
【発明の効果】
【００１７】
本発明によれば、より簡便に意図せぬ来訪者の侵入を防止することができる。
【図面の簡単な説明】
【００１８】
【図１】第１の実施形態における侵入防止装置の外観の一例を示す図（その１）である。
【図２】第１の実施形態における侵入防止装置の外観の一例を示す図（その２）である。図２（Ａ）は、待機状態における侵入防止装置１の外観の一例を示し、図２（Ｂ）は、侵入防止装置１の状態変化を説明するための図であり、図２（Ｃ）は、第１の係止部２１の外観の一例を示す図である。
【図３】第２の実施形態における侵入防止装置の外観の一例を示す図（その１）である。
【図４】第２の実施形態における侵入防止装置の外観の一例を示す図（その２）である。図４（Ａ）は、待機状態における侵入防止装置の外観の一例を示し、図４（Ｂ）は、侵入防止装置の設置例を示す図である。
【図５】ロック機構の一例を示す図である。図５（Ａ）は、屋内側から見た待機状態における侵入防止装置２の一部分の拡大図であり、図５（Ｂ）は使用状態から待機状態へと変化する状態の屋内側から見た侵入防止装置２の一部分の拡大図であり、図５（Ｃ）は屋外側から見た使用状態における侵入防止装置２の一部分の拡大図である。
【図６】第２の実施形態における侵入防止装置の変形例を示す図である。
【図７】第３の実施形態における侵入防止装置の外観の一例を示す図（その１）である。
【図８】第３の実施形態における侵入防止装置の外観の一例を示す図（その２）である。図８（Ａ）は、待機状態における侵入防止装置３の外観の一例を示し、図８（Ｂ）は、侵入防止装置３の状態変化を説明するための図である。
【発明を実施するための形態】
【００１９】
以下、図面に基づいて本発明の実施の形態を説明する。
【００２０】
＜第１の実施形態＞
【００２１】
第１の実施形態における侵入防止装置１について、図１及び図２を用いて説明する。図１は、第１の実施形態における侵入防止装置１の外観の一例を示す図（その１）である。図２は、第１の実施形態における侵入防止装置１の外観の一例を示す図（その２）である。図２（Ａ）は、待機状態における侵入防止装置１の外観の一例を示し、図２（Ｂ）は、侵入防止装置１の状態変化を説明するための図であり、図２（Ｃ）は、第１の係止部２１の外観の一例を示す図である。
【００２２】
侵入防止装置１は、玄関扉ｄの屋内側に設置される。侵入防止装置１は、図１に示す使用状態と、図２（Ａ）に示す待機状態とで状態を変化させることができる。
【００２３】
侵入防止装置１は、侵入防止部１０と、基部１１とを有する。侵入防止部１０は、第１の部材１０１と、第２の部材１０２と、第３の部材１０３とを有する。第１の部材１０１は、使用状態において略水平方向に延伸して屋外からの侵入を妨げる。第２の部材１０２は、一端を後述する基部１１に軸支され、他端を第１の部材１０１に軸支されており、使用状態において斜め方向に延伸する。第３の部材１０３は、第２の部材１０２の端部以外の部分に軸支され、他端は使用状態において玄関扉ｄの角部のうち、基部１１と反対側の角部近傍に係止される。
【００２４】
基部１１は、侵入防止部１０を上下方向に回動可能に支持する。換言すると、基部１１は、侵入防止部１０が玄関扉ｄに平行な面内で回転することにより、折りたたまれたり開かれたりするよう、侵入防止部１０を支持する。即ち、基部１１は、玄関扉ｄに対し垂直な軸周りに侵入防止部１０を軸支する。より詳細には、基部１１は、第１の部材１０１が略水平方向に延伸した使用状態と、第１の部材１０１が略鉛直方向に延伸した待機状態とに変化するよう侵入防止部１０を支持する。
【００２５】
図１及び図２に示す基部１１は、玄関扉ｄが設置されている建物の開口部分の屋内下側の角部近傍、即ち玄関扉ｄの長手方向の一辺近傍に設置されているが、基部１１の設置位置については限定されない。
【００２６】
侵入防止部１０の状態変化の一例について説明する。図２（Ａ）に示すように、待機状態において、第１の部材１０１、第２の部材１０２、及び第３の部材１０３は、各々略鉛直方向に延伸した状態となっている。本例において基部１１は玄関扉ｄが設置されている建物の開口部分の屋内側の右下の角部近傍に設置され、侵入防止部１０を支持している。即ち、侵入防止装置１は玄関扉ｄの長手方向の一辺近傍であって、開口部分の長手方向の一辺に折り畳まれた状態で配置されている。
【００２７】
侵入防止装置１を待機状態から使用状態へと変化させる場合、図２（Ａ）矢印に示すように、使用者は第２の部材１０２を基部１１の有する回転軸周りに下方向（図２（Ａ）に示す反時計回り）に回転させる。同時に、使用者は、第２の部材１０２の端部以外の部分に軸支された第３の部材１０３を図２（Ｂ）に示す時計回りの方向に回転させる。第３の部材１０３のうち、第２の部材１０２に軸支された側と反対側の端部は、玄関扉ｄの角部近傍に到達する。略同時に、第２の部材１０２のうち、基部１１に軸支された側と反対側の端部は、玄関扉ｄ脇の第１の係止部２１に係止される。
【００２８】
玄関扉ｄの角部近傍に到達した第３の部材１０３の端部は、床面との摩擦により係止される。第３の部材１０３の端部は、係止を促すためにゴム等の滑り止めが設けられていてもよい。また、第３の部材１０３の端部は、建物の開口部分近傍の入隅部分に係止されるものであってもよい。
【００２９】
第１の係止部２１は、基部１１の設けられた玄関扉ｄの長手方向の一辺と対向する辺近傍であって、建物の開口部分近傍に設けられ、第１の部材１０１と第２の部材１０２との接続部分を係止する構造となっている。図２（Ｃ）に示すように、第１の係止部２１は、左右方向及び下方向に係止壁を有し、第１の部材１０１と第２の部材１０２との接続部分を係止する。即ち、使用状態において、基部１１の有する軸に平行する方向に当該接続部分が横振れしたり、下方向に移動したりするのを防止する。付言すると、第１の係止部２１の有する左右方向の係止壁は、玄関扉ｄに平行する。
【００３０】
次に、使用者は、第１の係止部２１に係止された第１の部材１０１を上方向（図２（Ｂ）に示す反時計回り）に回転させる。なお、第１の部材１０１は、接続部分において第２の部材１０２の端部に軸支されている。その結果、第１の部材１０１のうち、第２の部材１０２に軸支された側と反対側の端部は、第２の係止部２２に係止される。第２の係止部２２は、例えば上方向に開いたフック形状であって、第１の係止部２１が設置された玄関扉ｄの長手方向の一辺に対向する辺の近傍であって、建物の開口部分近傍に設置される。
【００３１】
なお、第１の係止部２１及び第２の係止部２２は略同じ高さに設置される。また、第１の係止部２１及び第２の係止部２２は、来訪者の侵入を遮るのに効果的な高さ、例えばドアノブの高さより少し低い高さに設けられることが望ましい。
【００３２】
結果として、第１の部材１０１は、玄関扉ｄの開口部分を横断するよう、略水平方向に延伸して配置される。また、第２の部材１０２は、玄関扉ｄの開口部分を横断するよう、斜め方向に延伸して配置される。
【００３３】
なお、第１の部材１０１のうち、第２の部材１０２に軸支された側と反対側の端部は、第３の部材１０３の端部と同様に、第２の係止部２２における係止を促進するよう、ゴム等の滑り止めが設けられていてもよい。
【００３４】
付言すれば、侵入防止部１０の有する第１の部材１０１、第２の部材１０２、及び第３の部材１０３は、金属製、樹脂製、木製など、強度を有する材料によって構成されていればよく、材料は限定されない。第１の部材１０１、第２の部材１０２、又は第３の部材１０３は、例えば筋状又は棒状の部材であって、断面形状は限定されず、円形、楕円形、又は多角形など、様々な断面形状の部材を用いることができる。また、第１の部材１０１、第２の部材１０２、又は第３の部材１０３には、一方向に延伸する板状の部材を用いることができる。また、第１の部材１０１、第２の部材１０２、又は第３の部材１０３には、来訪者が侵入に抵抗を感じるよう、目立つ色彩に着色されていてもよい。
【００３５】
また、侵入防止部１０の有する各部材は、伸縮自在であってもよい。例えば、第１の部材１０１の内部に、伸びる方向に付勢する圧縮コイルばね等の弾性部材を設け、スイッチボタン等の操作によりワンタッチで第１の部材１０１が伸長するよう構成してもよい。また、その場合、第１の部材１０１のうち、建物の壁面に接する端部に対し、壁に平行する面を有する部材を設けてもよい。
【００３６】
第１の部材１０１の配置の際に、スイッチボタンを操作して第１の部材１０１を伸長させ、玄関扉ｄ脇の開口部分の両壁面に第１の部材１０１が突っ張るように係止させることができる。この場合、第１の係止部２１及び第２の係止部２２は必ずしも必要でない。本構成は、例えば建物の構造体に係止部を設置することができない場合等に有用である。
【００３７】
以上、本実施形態の侵入防止装置１は、設置の際に大掛かりな工事を必要とせず、簡単に設置することができる。また、侵入防止装置１は、待機状態においてコンパクトに畳むことができ、使用の際には容易に使用状態に展開することができる。本実施形態の侵入防止装置１を用いれば、来訪者に対して心理的な圧迫感を与えることで、意図せぬ侵入を効率的に防止することができる。
【００３８】
＜第２の実施形態＞
【００３９】
次に、第２の実施形態における侵入防止装置２について、図３及び図４を用いて説明する。図３は、第２の実施形態における侵入防止装置２の外観の一例を示す図（その１）である。図４は、第２の実施形態における侵入防止装置２の外観の一例を示す図（その２）である。図４（Ａ）は、待機状態における侵入防止装置２の外観の一例を示し、図４（Ｂ）は、侵入防止装置２の設置例を示す図である。以下、第１の実施形態における侵入防止装置１と異なる点について説明する。
【００４０】
侵入防止装置２は、侵入防止部１０と、基部３２とを有する。侵入防止部１０は、第１の部材３１を有する。第１の部材３１は、使用状態において略水平方向に延伸して屋外からの侵入を妨げる点は、第１の実施形態と同様である。図３及び図４に示す第１の部材３１は、開口部分が基部３２に支持されたＵ字状に形成されている。第１の部材３１の形状は限定されないが、Ｕ字状に形成することにより、第１の部材３１の強度を向上させることができる。また、第１の部材３１の一部が曲線状に折り曲げて形成されるため、折り曲がった部分に接触しても安全である。
【００４１】
基部３２は、侵入防止部１０を上下方向に回動可能に支持する。より詳細には、基部３２は、第１の部材３１が略水平方向に延伸した使用状態と、第１の部材３１が略鉛直方向に延伸した待機状態とに変化するよう侵入防止部１０を支持する。基部３２は、玄関扉ｄが設置されている建物の開口部分の長手方向の一辺近傍、即ち玄関扉ｄの長手方向の一辺の近傍に設けられ、使用状態において第１の部材３１を略水平に軸支する。
【００４２】
図３及び図４（Ａ）に示す例では、１つの玄関扉ｄに対して左右に合計２つの侵入防止装置２が設置されている。１つの玄関扉ｄに対する侵入防止装置２の設置数は本例に限定されない。図４（Ｂ）に示すように、左右に各々２つ、合計４つの侵入防止装置２が設置されていてもよい。
【００４３】
侵入防止部１０の状態変化の一例について説明する。図４（Ａ）に示すように、待機状態において、第１の部材３１は、各々略鉛直方向に延伸した状態となっている。本例において、侵入防止装置２は玄関扉ｄが設置されている建物の開口部分の長手方向の一辺近傍に、該一辺と平行するよう配置されている。
【００４４】
侵入防止装置２を待機状態から使用状態へと変化させる場合、図４（Ａ）に示すように、使用者は第１の部材３１を基部３２の有する回転軸周りに下方向に回転させる。その結果、第１の部材３１は、玄関扉ｄの開口部分を遮るよう、略水平方向に延伸して配置される。
【００４５】
図５は、ロック機構の一例を示す図である。図５（Ａ）は、屋内側から見た待機状態における侵入防止装置２の一部分の拡大図であり、図５（Ｂ）は使用状態から待機状態へと変化する状態の屋内側から見た侵入防止装置２の一部分の拡大図であり、図５（Ｃ）は屋外側から見た待機状態における侵入防止装置２の一部分の拡大図である。
【００４６】
本実施形態における基部３２は、ロック機構を備えており、第１の部材３１が略水平方向に延伸した状態を保持することができる。第１の部材３１が、基部３２の有する軸回りに、略鉛直状態から略水平状態に回転すると、例えば基部３２の内部に設けられた係止爪が第１の部材３１を係止し、ロック状態となる。
【００４７】
基部３２は、ロック状態を解除する解除機構を有する。例えば、解除機構は、基部３２の有する面のうち屋内側の面にのみ設けられ、屋内からの解除操作によりロック状態を解除する。また例えば、解除機構は、基部３２の屋内側の面及び屋外側の面に設けられる。屋内側の解除機構は、屋外側の解除機構に比べて容易にロック状態の解除操作を行うことができる。
【００４８】
図５に示す解除機構は、解除ボタン３３と、解除ダイヤル３４とを有する。解除ボタン３３は、屋内側に設けられ、重力方向又は基部３２の内側に向かう方向に押下することでロック状態を解除することができる。使用状態では、第１の部材３１が略水平方向に延伸した状態が保持されているが、解除ボタン３３を操作することで、ロック状態が解除され、図５（Ｂ）矢印に示すように、第１の部材３１を上方向に回転させることが可能となる。
【００４９】
解除ダイヤル３４は、屋外側に設けられる。解除ダイヤル３４は、例えば番号を合わせて開錠するダイヤル錠であって、番号を知っている者が屋外からロック状態を解除することができる。即ち、図５に示す解除機構は、屋内側の解除機構の方が屋外側の解除機構に比べて容易に解除操作を行うことができる。
【００５０】
以上、第２の実施形態の侵入防止装置２を用いることで、より簡便に玄関扉ｄの開口部分を遮ることができる。これにより、侵入を望まない来訪者に心理的な抵抗感を与えることが可能となる。また、ロック機構を備えることで、侵入者が侵入防止部１０の状態を使用状態から待機状態に変更させるのを防ぐことができる。付言すれば、屋内側からの解除を屋外側からの解除に比べて容易に行えるよう構成することで、来訪者の侵入を許可する際の使用者のロック解除の操作性が向上するとともに、侵入を許可しない来訪者がロック解除を行うことを防ぐことができる。
【００５１】
＜変形例＞
【００５２】
図６は、第２の実施形態における侵入防止装置２の変形例を示す図である。以下、上述の第２の実施形態と異なる点を説明する。本変形例における侵入防止装置２の第１の部材３１は、伸縮可能である。基部３２を玄関扉ｄが設置されている開口部分の長手方向の一辺近傍に設置し、使用状態において第１の部材３１を伸長させる。基部３２を設置した玄関扉ｄの長手方向の一辺に対向する辺の近傍に、第３の係止部３５を設置する。
【００５３】
第３の係止部３５は、伸長した第１の部材３１を係止することができる。換言すれば、第３の係止部３５は、玄関扉ｄが設置されている開口部分の長手方向の一辺の近傍に設けられ、基部３２に一端が軸支された第１の部材３１の他端を係止する係止部材からなる。
【００５４】
例えば、本変形例における第１の部材３１は、図６に示すように、開口部分が基部３２に支持されたＵ字状に形成されている。第３の係止部３５は、例えば上方向に開いたフックの形状であって、第１の部材３１を係止することが可能である。
【００５５】
本変形例における侵入防止装置２を使用状態から待機状態へと変化させる場合、使用者は第１の部材３１を第３の係止部３５から取り外し、第１の部材３１を収縮させるとともに、基部３２の有する軸周りに上方向に回転させる。第１の部材３１は、使用状態において略水平方向に延伸しているが、回転の結果、待機状態になると略鉛直方向への延伸に変化する。
【００５６】
本変形例の侵入防止装置２を用いれば、より簡便に玄関扉ｄの開口部分を横断するよう、侵入防止部１０を配置することができ、意図せぬ来訪者の屋内への侵入を防ぐことができる。
【００５７】
＜第３の実施形態＞
【００５８】
次に、第３の実施形態における侵入防止装置３について、図７及び図８を用いて説明する。図７は、第３の実施形態における侵入防止装置３の外観の一例を示す図（その１）である。図８は、第３の実施形態における侵入防止装置３の外観の一例を示す図（その２）である。図８（Ａ）は、待機状態における侵入防止装置３の外観の一例を示し、図８（Ｂ）は、侵入防止装置３の状態変化を説明するための図である。以下、第１の実施形態及び第２の実施形態における侵入防止装置１・２と異なる点について説明する。
【００５９】
侵入防止装置３は、侵入防止部１０と、基部１１と、第４の部材４４とを有する、侵入防止部１０は、第１の部材４１と、第２の部材４２とを有する。第１の部材４１は、第１の実施形態における第１の部材１０１、及び第２の実施形態における第１の部材３１と同様に、使用状態において略水平方向に延伸して屋外からの侵入を妨げる。第２の部材４２は、第１の実施形態における第２の部材１０２と同様であるため、説明を省略する。なお、侵入防止部１０は、第１の実施形態と同様に、第３の部材１０３を有していてもよい。
【００６０】
第４の部材４４は、玄関扉ｄの長手方向の一辺近傍に略鉛直に設置される。第４の部材４４は、複数の剛性部材と、補強板４４３とを有する。図７・図８に示す第４の部材４４は、２つの剛性部材４４１・４４２を有するが、剛性部材の数はこれに限定されない。また、補強板４４３の数も１つに限定されない。以下、第４の部材４４が２つの剛性部材４４１・４４２と１つの補強板４４３とを有するものとして説明する。主に、第４の部材４４は、第１の部材４１を軸支する基部１１を、使用状態における第１の部材４１と略同じ高さに配置するために設置される。
【００６１】
剛性部材４４１・４４２は、変形しにくい材料により構成される部材である。剛性部材４４１・４４２は、例えば各々直線形状に形成されている。第４の部材４４が有する複数の剛性部材４４１・４４２は、連続して接続されている。剛性部材４４１・４４２は、例えば丁番等により回動可能に接続される。
【００６２】
第４の部材４４は、剛性部材４４１・４４２の接続部分を折り曲げて玄関扉ｄの長辺近傍に配置し、接続部分を押し込むことにより、天井方向と床方向とに突っ張るように設置される。即ち、第４の部材４４は、剛性部材４４１・４４２の接続部分の折り曲げを伸ばすことにより、略鉛直に設置される。なお、剛性部材４４１・４４２のうち、天井部分及び床部分に位置する端部には、ゴム等の滑り止め部材を設けてもよい。
【００６３】
その後、剛性部材４４１・４４２の接続部分に補強板４４３を設置する。補強板４４３は、例えば剛性部材４４１・４４２の一部を覆うように形成され、剛性部材４４１・４４２の長手方向にずらすことにより、接続部分上に設置される。補強板４４３は、使用状態及び待機状態において接続部分が折れ曲がることを防ぐ。補強板４４３は、例えばアルミニウムやステンレス等の強度を有する材料により形成される。なお、第４の部材４４が複数の接続部分を有する場合等において、第４の部材４４は複数の補強板４４３を有していてもよい。
【００６４】
複数の剛性部材４４１・４４２を用いて第４の部材４４を構成することにより、構造体に穴を空ける等の工事をせずとも、侵入防止装置３を確実に固定することができる。また、複数の剛性部材４４１・４４２は、回動可能に接続されているため、容易に取り外すことができる。
【００６５】
第１の部材４１は、連続して接続する複数の剛性部材と、補強板４１３とを有する。図７・図８に示す第１の部材４１は、２つの剛性部材４１１・４１２と、１つの補強板４１３とを有するが、剛性部材及び補強板の数はこれに限定されない。以下、第１の部材４１が２つの剛性部材４１１・４１２と１つの補強板４１３とを有するものとして説明する。
【００６６】
図８（Ａ）に示すように、待機状態において、第１の部材４１の有する複数の剛性部材４１１・４１２は、接続部分において丁番等により折り曲げられている。剛性部材４１１・４１２の各々が直線形状であるとき、待機状態の剛性部材４１１・４１２は、各々鉛直方向に延伸するよう設置される。即ち、待機状態において、第１の部材４１を構成する剛性部材４１１・４１２と、第２の部材４２と、第４の部材４４とは、各々略鉛直方向に延伸するよう設置される。
【００６７】
図７に示すように、第３の実施形態において、基部１１は、使用状態において略水平に延伸する第１の部材４１と略同じ高さに設置され、剛性部材４１１の一端を軸支している。図８（Ｂ）に示すように、剛性部材４１１の一端は基部１１に軸支され、剛性部材４１１の他端は剛性部材４１２の一端と回動可能に接続される。また、剛性部材４１２の他端は第２の部材４２の一端と回動可能に接続される。
【００６８】
第２の部材４２と接続する剛性部材４１２の端部のうち、壁面と接する部分には、ゴム等の滑り止め部材を設けることができる。第２の部材４２の両端にも、同様の滑り止め部材を設けてもよい。
【００６９】
侵入防止装置３を待機状態から使用状態に変化させる場合、使用者は、基部１１を軸として第１の部材４１を図８（Ｂ）の反時計回りに回転させる。また、使用者は、第１の部材４１を構成する剛性部材４１１・４１２の接続部分を伸ばす。図８（Ｂ）に示す例において、使用者は、剛性部材４１１・４１２の接続部分を下方向に押し込むことにより、第１の部材４１が略水平に延伸するよう設置する。
【００７０】
接続部分を伸ばすことにより、第１の部材４１は、玄関扉ｄを横断するよう突っ張り、略水平に係止される。なお、使用状態において、剛性部材４１１の一端が、玄関扉ｄの長手方向の一辺の近傍（即ち基部１１）に位置し、剛性部材４１２の一端が、玄関扉の該一辺に対向する辺の近傍に位置する。
【００７１】
その後、剛性部材４１１・４１２の接続部分に補強板４１３を設置する。補強板４１３は、補強板４４３と同様に、剛性部材４１１・４１２の一部を覆うように形成され、剛性部材４１１・４１２の長手方向にずらすことにより、接続部分上に設置される。補強板４１３は、補強板４４３と同様に、アルミニウムやステンレス等の強度を有する材料で形成される。補強板４１３は、使用状態において接続部分が折れ曲がることを防ぐ。
【００７２】
なお、図８（Ｂ）は、剛性部材４４１・４４２の接続部分が折れ曲がった状態を示している。本図は第４の部材４４の設置方法を説明するためのものであり、図８（Ａ）に示すように、第４の部材４４は、待機状態においても剛性部材４４１・４４２の接続部分は折れ曲がっておらず、伸びた状態である。
【００７３】
付言すれば、侵入防止装置１・２・３は、図示しないセンサーを有していてもよい。センサーは、例えば振動検知式であって、侵入防止装置１・２・３が設置位置から取り外されたことを検知する。センサーは、図示しない防犯ブザーと無線により接続されており、センサーが侵入防止装置１・２・３の取り外しを検知すると、防犯ブザーが鳴る。なお、センサーは、第１の部材１０１・３１・４１に設置され、第１の部材１０１・３１・４１の取り外しを検知するものであってもよい。
【００７４】
以上、本実施形態によれば、使用に応じて状態が変化する侵入防止装置３を確実に固定することができる。また、第１の部材４１を複数の剛性部材４１１・４１２を用いて構成することにより、使用状態において第１の部材４１をより確実に固定することができ、利便性が向上する。
【００７５】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。
【００７６】
例えば、上述の例において、侵入防止装置１及び侵入防止装置２は、玄関扉ｄを対象に設置されていた。しかしながら、侵入防止装置１・２の対象となる扉は、玄関扉に限定されない。例えば、部屋と部屋とを仕切る室内扉を対象に設置され、ペットや子どもの侵入を防止してもよい。また、上述の例において、玄関扉ｄは片開きの開き戸であるが、扉の種類も限定されない。例えば、両開きの開き戸であってもよいし、引き戸であってもよい。いずれの扉に対しても、簡便に設置することができ、効率的に対象の侵入を防止することができる。
【符号の説明】
【００７７】
１・２・３：侵入防止装置、１０：侵入防止部、１１・３２：基部、２１：第１の係止部、２２：第２の係止部、３１・４１・１０１：第１の部材、３３：解除ボタン、３４：解除ダイヤル、３５：第３の係止部、４２・１０２：第２の部材、１０３：第３の部材、４４：第４の部材、４１１・４１２・４４１・４４２：剛性部材、４１３・４４３：補強板、ｄ：玄関扉
【図１】
2020197113.tif 000003
【図２】
2020197113.tif 000004
【図３】
2020197113.tif 000005
【図４】
2020197113.tif 000006
【図５】
2020197113.tif 000007
【図６】
2020197113.tif 000008
【図７】
2020197113.tif 000009
【図８】
2020197113.tif 000010